(57)【要約】      （修正有）【課題】容易かつ手軽にガイドブレードの切り替えが可能なヘアークリッパー用の汎用ガイドブレードを提供する。【解決手段】ヘアークリッパー用の汎用ガイドブレードは、前方にカッティングガイド１１０が構成され、カッティングガイド１１０の後方部に所定の間隔に離隔されるように複数構成される脱着溝１６０を含むガイド胴体部１３０と、ガイド胴体部１３０の後方側の中央部に構成され、脱着式ヘアークリッパーと固定及び分離される装着突起１５０が形成されるガイド固定部１４０と、脱着溝１６０に挿入及び固定され、所定の弾性力によって固定式ヘアークリッパーにガイドブレードを固定させる固定部材２００とを含む。【選択図】図１
0003222589.tif 000002
【実用新案登録請求の範囲】
【請求項１】
前方にカッティングガイドが構成され、前記カッティングガイドの後方部に所定の間隔に離隔するよう複数構成される脱着溝を含むガイド胴体部と、
前記ガイド胴体部の後方側の中央部に構成され、脱着式ヘアークリッパーと固定及び分離される装着突起が形成されるガイド固定部と、
前記脱着溝に挿入及び固定され、所定の弾性力によって固定式ヘアークリッパーにガイドブレードを固定させる固定部材と、
を含むことを特徴とするヘアークリッパー用の汎用ガイドブレード。
【請求項２】
前記ガイド胴体部には、前記複数の脱着溝の一側に上向き突出するように形成され、前記固定部材が前記脱着溝から離脱することを防止する支え段差をさらに含むことを特徴とする、請求項１に記載のヘアークリッパー用の汎用ガイドブレード。
【請求項３】
前記固定部材は、
前記脱着溝にスライド移動方式で挿入及び固定される装着部と、
前記装着部の後方部に延長形成され、所定の弾性力を提供する弾性部と、
前記弾性部の終端部に一体に構成され、固定式ヘアークリッパーのブレード固定部に固定される結合プレートと、
を含むことを特徴とする、請求項１に記載のヘアークリッパー用の汎用ガイドブレード。
【請求項４】
前記ガイド固定部には前記装着突起と対向する位置に構成され、脱着式ヘアークリッパーと分離時に把持する把持部がさらに構成されることを特徴とする、請求項１に記載のヘアークリッパー用の汎用ガイドブレード。
【請求項５】
前記ガイド胴体部には、一端が前記ガイド固定部に結合され、他端が前記固定部材を加圧する支持手段がさらに構成されることを特徴とする、請求項１に記載のヘアークリッパー用の汎用ガイドブレード。
【考案の詳細な説明】
【技術分野】
【０００１】
本考案は、ヘアークリッパー用の汎用ガイドブレードに関し、より詳しくは、電動式ヘアークリッパーにおいて、固定式ヘアークリッパーと脱着式ヘアークリッパーの全てに使用可能なヘアークリッパー用の汎用ガイドブレードを提供することにその目的がある。
【背景技術】
【０００２】
一般に、ヘアークリッパーは、髪の毛、動物の毛などをカットするとき使用する道具として、手動式と電動式に区分され、電動式の場合にはカットする髪の毛の長さを一定に維持するためのガイドブレードが別途に備えられ、前記ガイドブレードの固定方式により固定式ヘアークリッパーと脱着式ヘアークリッパーとに区分される。
【０００３】
一例として、大韓民国登録特許第１０−０９０９１８１号（以下、先行技術文献１という）には、固定式ヘアークリッパーであって、ハウジングと、前記ハウジングに着脱式に連結され、互いに直径方向に対向する２つ以上の切断エッジと単一の切断面を有し、前記切断面に垂直な軸線を中心に選択的に回転されるようになっている回転式ブレード組立体と、前記ブレード組立体を選択的に解除し、それにより前記ブレード組立体を前記軸線を中心に回転させるために前記ブレード組立体に作動可能に連結されるブレード転換器具を含むヘアークリッパーが掲載されている。
【０００４】
また、大韓民国公開特許第１０−２０１８−００３９５９４号には、脱着式ヘアークリッパーに備えられるガイドブレードに関し、モータが内蔵された散髪器胴体部と、前記散髪器胴体部の前方に配置されるヘッド部から構成される本体と、前記ヘッド部のせん断に設けられるブレード部とを含む電動散髪器に着脱可能に装着される櫛付きキャップにおいて、前記櫛付きキャップは、板状のベース部と、前記ベース部の前方で延長する複数の櫛歯と、一端には前記ベース部に固定される固定端部が備えられ、他端には、胴体部とヘッド部の境界に形成された段差に係合される係止端部が備えられ、前記固定端部と係止端部との間に弾性部が設けられる弾性固定片を含むことを特徴とする電動散髪器用の櫛付きキャップが掲載されている。
【０００５】
しかし、前述した先行特許文献１は、ガイドブレードを装着しなければならない場合、定められた規格に適するものしか使用できないことから、定められたメーカーに対する製品のみが使用できるということで、様々な形態のガイドブレードを使用することができず、ヘアーデザインが演出に極めて制限的になる問題がある。
【０００６】
また、先行特許文献２は、ガイドブレード（櫛付きキャップ）に後方部に構成される弾性固定片がヘアークリッパーの端部に固定されるよう構成されているため、電動散髪器のメーカー、モデルのタイプに関わらず手軽に設置及び分離できるが、これは電動式ヘアークリッパーのうち、脱着式ヘアークリッパーにのみ適用でき、固定式ヘアークリッパーには装着できない問題がある。
【０００７】
特に、前記弾性固定片の弾性力が低下する場合、ガイドブレードとヘアークリッパーとの間の緊密な固定が保持されず、弾性固定片とベース部とが一体に構成されていることから、弾性固定片のみを別途に切り替えることができないため、一定の時間が経過した後には新しいガイドブレードを購入しなければならない問題がある。
【先行技術文献】
【特許文献】
【０００８】
【特許文献１】韓国登録特許第１０−０９０９１８１号公報
【特許文献２】韓国公開特許第１０−２０１８−００３９５９４号公報
【考案の概要】
【考案が解決しようとする課題】
【０００９】
このような問題を解決するために、本考案は、前述した背景技術によって案出されたものであり、電動式ヘアークリッパーにおいて、固定式ヘアークリッパーと脱着式ヘアークリッパーの全てに使用され、容易かつ手軽にガイドブレードの切り替え可能なヘアークリッパー用の汎用ガイドブレードを提供することにその目的がある。
【００１０】
また、本考案は、所定の弾性力を提供する固定部材が脱着可能に結合されることによって固定部材の弾性力が低下する場合、前記固定部材のみを別に切り替えて持続的に使用可能なヘアークリッパー用の汎用ガイドブレードを提供することにその目的がある。
【００１１】
また、本考案は、ガイドブレードの固定時に固定部材側に所定の支持力を提供することによって、長時間固定された状態を保持するとしても固定部材の弾性力が低下することを最小化できるヘアークリッパー用の汎用ガイドブレードを提供することにその目的がある。
【００１２】
ただし、本考案の目的はこれに制限されるものではなく、明らかに言及しなくても課題の解決手段や実施形態から把握され得る目的又は効果もこれに含まれることはもちろんである。
【課題を解決するための手段】
【００１３】
このような課題を達成するための本考案の一実施形態によれば、前方にカッティングガイドが構成され、前記カッティングガイドの後方部に所定の間隔に離隔するよう複数構成される脱着溝を含むガイド胴体部と、前記ガイド胴体部の後方側の中央部に構成され、脱着式ヘアークリッパーと固定及び分離される装着突起が形成されるガイド固定部と、前記脱着溝に挿入及び固定され、所定の弾性力によって固定式ヘアークリッパーにガイドブレードを固定させる固定部材とを含むことを特徴とする。
【００１４】
本考案の一実施形態によれば、前記ガイド胴体部には、前記複数の脱着溝の一側に上向き突出するように形成され、前記固定部材が前記脱着溝から離脱することを防止する支え段差をさらに含むことを特徴とする。
【００１５】
本考案の一実施形態によれば、前記固定部材は、前記脱着溝にスライド移動方式で挿入及び固定される装着部と、前記装着部の後方部に延長形成され、所定の弾性力を提供する弾性部と、前記弾性部の終端部に一体に構成され、固定式ヘアークリッパーのブレード固定部に固定される結合プレートとを含むことを特徴とする。
【００１６】
本考案の一実施形態によれば、前記ガイド固定部には前記装着突起と対向する位置に構成され、脱着式ヘアークリッパーと分離時に把持する把持部がさらに構成されることを特徴とする。
【００１７】
本考案の一実施形態によれば、前記ガイド胴体部には、一端が前記ガイド固定部に結合され、他端が前記固定部材を加圧する支持手段がさらに構成されることを特徴とする。
【考案の効果】
【００１８】
このような本考案の実施形態によれば、電動式ヘアークリッパーにおいて、固定式ヘアークリッパーと脱着式ヘアークリッパーの全てに容易かつ手軽にガイドブレードの装着及び分離可能な効果がある。
【００１９】
また、本考案の実施形態によれば、所定の弾性力を提供する固定部材が脱着可能に結合されることにより、固定部材の弾性力が低下する場合、前記固定部材のみを別途に切り替えて持続的に使用できる効果がある。
【００２０】
また、本考案の実施形態によれば、ガイドブレードの固定時に固定部材側に所定の支持力を提供することによって、長時間固定された状態を保持するとしても固定部材の弾性力が低下することを最小化できる効果がある。
【００２１】
それと共に、本考案の多様かつ有益な長所及び効果は、上述した内容に限定されることなく、本考案の具体的な実施形態を説明する過程でより容易に理解されるのであろう。
【図面の簡単な説明】
【００２２】
【図１】本考案の一実施形態に係るヘアークリッパー用の汎用ガイドブレードを示した斜視図である。
【図２】本考案の一実施形態に係るヘアークリッパー用の汎用ガイドブレードを示した斜視図である。
【図３】本考案の一実施形態に係るヘアークリッパー用の汎用ガイドブレードを示した平面及び底面図である。
【図４】本考案の一実施形態に係るヘアークリッパー用の汎用ガイドブレードを示した平面及び底面図である。
【図５】本考案の一実施形態に係るヘアークリッパー用の汎用ガイドブレードを示した要部拡大断面図である。
【図６】本考案の一実施形態に係るヘアークリッパー用の汎用ガイドブレードの支持構造を示す図である。
【図７】本考案の一実施形態に係るヘアークリッパー用の汎用ガイドブレードの支持構造を示す図である。
【図８】本考案の一実施形態に係るヘアークリッパー用の汎用ガイドブレードが装着された状態を示す図である。
【図９】本考案の一実施形態に係るヘアークリッパー用の汎用ガイドブレードが装着された状態を示す図である。
【考案を実施するための形態】
【００２３】
以下、本考案の好適な実施形態を添付する図面を参照しながら詳細に説明する。まず、各図面の構成要素に参照符号を加えることにおいて、同じ構成要素に対して、たとえ他の図面上に表示されても、可能であれば同じ符号にすることに留意しなければならない。また、本考案を説明することにおいて、関連の公知構成又は機能に対する具体的な説明が本考案の要旨を曖昧にするものと判断される場合にその詳細な説明は省略する。
【００２４】
また、本考案の構成要素の説明において、第１、第２、Ａ、Ｂ、（ａ）、（ｂ）などの用語を使用してもよい。このような用語は、その構成要素を他の構成要素と区別するためのものであり、その用語によって該当の構成要素の本質や順序などが限定されることはない。いずれかの構成要素が他の構成要素に「連結」、「結合」又は「接続」されると記載された場合、その構成要素はその他の構成要素に直接的に連結されたり、又は接続されることができるが、各構成要素の間に更なる構成要素が「連結」、「結合」又は「接続」され得ることを理解しなければならないのであろう。
【００２５】
図１及び図２は、本考案の一実施形態に係るヘアークリッパー用の汎用ガイドブレードを示した斜視図、図３及び図４は、本考案の一実施形態に係るヘアークリッパー用の汎用ガイドブレードを示した平面及び底面図、図５は、本考案の一実施形態に係るヘアークリッパー用の汎用ガイドブレードを示した要部拡大断面図である。図６及び図７は、本考案の一実施形態に係るヘアークリッパー用の汎用ガイドブレードの支持構造を示す図である。図８及び図９は、本考案の一実施形態に係るヘアークリッパー用の汎用ガイドブレードが装着された状態を示す図である。
【００２６】
図示するように、本考案のヘアークリッパー用の汎用ガイドブレードは、本体部１００、固定部材２００、及び支持手段３００を含んで構成される。
【００２７】
本体部１００は前方に構成され、髪の毛や動物の毛などが引入されるカッティングガイド１１０と、カッティングガイド１１０の後方部に延長形成され、ヘアークリッパー１０の底面が密着するガイド胴体部１３０を含んで構成される。
【００２８】
カッティングガイド１１０は、ヘアークリッパー１０の前方側の先端が構成されるカッティング部２０のブレードが載置するように構成され、所定の間隔に離隔するよう複数構成され、カットされる髪の毛などの引入及びカットされた髪の毛の引き出しが行われるように構成されている。
【００２９】
このようなカッティングガイド１１０は、両側部に互いに対応する形状に形成され、カッティング部２０のブレードの底面が密着するよう載置される載置パネル１２２と、載置パネル１２２の終端部に折り曲げ形成され、カッティング部２０のブレードの先端部が据え置かれる据置パネル１２４からなる据置部１２０が構成される。
【００３０】
ガイド胴体部１３０は、カッティングガイド１１０の後方部に一体に形成され、本体部１００とヘアークリッパー１０の結合時にヘアークリッパー１０の底面が密着するよう構成されると同時に、本考案のガイドブレードとヘアークリッパー１０との間に安定的に固定されるようにする構成要素である。
【００３１】
このようなガイド胴体部１３０は、後方部にヘアークリッパー１０との固定が行われるように固定部材２００が結合される脱着溝１６０と、ヘアークリッパー１０のうち、脱着式ヘアークリッパー１０との固定及び分離されるように構成されたガイド固定部１４０が構成される。
【００３２】
脱着溝１６０は、ガイド胴体部１３０の後方側の中央部に形成されるが、所定の間隔に離隔するよう複数構成され、固定部材２００の装着部２１０がスライド移動方式により結合されるように構成される。
【００３３】
また、ガイド固定部１４０は、複数の脱着溝１６０の間に形成され、ガイド胴体部１３０から上向き垂直に折り曲げ形成されるパネルであって、その上側端部に脱着式ヘアークリッパー１０に構成されるブレード固定部３０の段差部に固定される装着突起１５０が形成される。
【００３４】
ここで、装着突起１５０は、ガイド固定部１４０の上側先端部からカッティングガイド１１０側に突出するよう形成され、下部面が装着突起１５０の先端部に向かうほど次第に狭くなる三角形の形状に形成される。
【００３５】
このようなガイド固定部１４０は、装着突起１５０とブレード固定部３０との間の緊密な固定を行うと共に、容易に分離できるように所定の弾性力を提供するように構成される。
【００３６】
また、ガイド固定部１４０には、装着突起１５０と対向する位置に把持部１４２をさらに構成してもよい。
【００３７】
把持部１４２は、脱着式ヘアークリッパー１０に固定されたガイドブレードを分離するためにユーザが把持するものであって、前記把持部１４２を引っ張って装着突起１５０がブレード固定部３０から分離されるようにする構成要素である。
【００３８】
すなわち、ガイドブレードを脱着式ヘアークリッパー１０に固定する場合、装着突起１５０を前記のブレード固定部３０に嵌合するようにし、分離するときには把持部１４２を引っ張ることで、装着突起１５０とブレード固定部３０の嵌合が解除されるようにする。
【００３９】
また、ガイド胴体部１３０は、固定部材２００が脱着溝１６０から任意的に分離されることを防止する支え段差１７０が形成される。
【００４０】
支え段差１７０は、脱着溝１６０の両側部にそれぞれ構成され、この脱着溝１６０に挿入された固定部材２００が固定式ヘアークリッパー１０との結合の際に発生する弾性力により前記脱着溝１６０から離脱することを防止することで、後述する固定部材２００の弾性固定パネル２１６の後方側の端部が密着するよう構成される。
【００４１】
このような支え段差１７０は、固定部材２００が脱着溝１６０に容易にスライド移動を行いながら挿入されるよう後方部が所定の傾斜面をなすよう構成され、前方部は、弾性固定パネル２１６が密着されるように垂直面の形状をなすよう構成される。
【００４２】
このような支え段差１７０は、図面に図示していないが、前記弾性固定パネル２１６の後方側の終端部が挿入されて固定されるよう、前記垂直面から陥没して形成されるパネル挿入溝（図示せず）がさらに構成されてもよい。
【００４３】
固定部材２００は、ガイド胴体部１３０の後方部に結合され、固定式ヘアークリッパー１０にガイドブレードを固定させることで、ガイド胴体部１３０の脱着溝１６０にスライド移動方式により挿入及び固定される装着部２１０、装着部２１０の後方部に延長形成され、固定式ヘアークリッパー１０に固定されるとき所定の弾性力を提供する弾性部２２０、及び固定式ヘアークリッパー１０のブレード固定部３０に固定される結合プレート２３０から構成される。
【００４４】
装着部２１０は、固定部材２００の前方側の端部に形成され、ガイド胴体部１３０に形成された脱着溝１６０に挿入及び固定されてガイド胴体部１３０が固定式ヘアークリッパー１０に固定又は分離されるように支持する構成要素である。
【００４５】
このような装着部２１０は、脱着溝１６０に挿入されるとき、ガイド胴体部１３０の下部面に密着し、後方部で弾性部２２０が延長形成される底パネル２１２と、底パネル２１２の両側面に垂直に延長形成され、脱着溝１６０に挿入されるとき、前記脱着溝１６０の内壁面に密着しながら固定部材２００の挿入をガイドする案内パネル２１４、及び案内パネル２１４の上側端部に垂直に折り曲げ形成され、装着部２１０が挿入されるとき下部面がガイド胴体部１３０の上部面に密着した状態でスライド移動される弾性固定パネル２１６から構成される。
【００４６】
このような装着部２１０は、ガイド胴体部１３０と固定部材２００との間の緊密な固定を行うと共に、固定式ヘアークリッパー１０との結合時に弾性部２２０が曲げによる弾性力を発生させる。
【００４７】
このように構成された本考案の装着部２１０は、ガイド胴体部１３０に構成される複数の脱着溝１６０に固定されるよう結合されるが、これに限定されることなく、弾性固定パネル２１６の弾性力を用いて脱着溝１６０から分離自在になるよう構成されてもよい。
【００４８】
ここで、前記脱着溝１６０から固定部材２００を分離する場合には、前記弾性固定パネル２１６を上側に持ち上げて曲げが発生するようにしながら、支え段差１７０の上部面に弾性固定パネル２１６の下部面を位置づけた後、後方に固定部材２００を引っ張って分離されるようにする。
【００４９】
ここで、固定部材２００の弾性部２２０は弾性力が低下され、ガイドブレードと固定式ヘアークリッパー１０の固定力を長時間保持することが難しい場合、ガイド胴体部１３０から固定部材２００を容易かつ簡単に分離してから切り替え可能になるため、従来のようにガイドブレードの全体を再購買しなければならないという問題を解決できる。
【００５０】
弾性部２２０は、固定式ヘアークリッパー１０と本考案のガイドブレードの固定及び分離が行われるように所定の弾性力を提供し、結合プレート２３０と固定式ヘアークリッパー１０から構成されたブレード固定部３０間の結合を行ったり、又は、結合解除されるようにするもので、底パネル２１２の後方部に一体に延長形成され、様々な角度で折り曲げられるように形成され、その終端部に結合プレート２３０が形成される。
【００５１】
このような弾性部２２０は、底パネル２１２と結合プレート２３０との間に形成されるものとして、少なくとも２つ以上の単位パネルが一体に構成され、一定の角度だけ折り曲げられた状態に構成される。
【００５２】
また、弾性部２２０は、底パネル２１２に隣接する単位パネルと結合プレート２３０に隣接する単位パネルは互いに異なる弾性力を提供するように構成される。
【００５３】
すなわち、結合プレート２３０とブレード固定部３０を固定するとき、底パネル２１２に隣接する単位パネルで提供する弾性力の大きさよりも、結合プレート２３０に隣接する単位パネルで提供する弾性力の大きさがより大きくなるように構成され、これに前記結合プレート２３０が少ない力でもブレード固定部３０に載置しながら固定されるようにする。
【００５４】
結合プレート２３０は、弾性部２２０の終端部に折り曲げ形成され、固定式ヘアークリッパー１０のブレード固定部３０に載置しながら固定され、ガイドブレードを固定式ヘアークリッパー１０に固定させる。
【００５５】
このような結合プレート２３０は、ユーザが弾性部２２０に底パネル２１２から下部方向に力を加え、結合プレート２３０がブレード固定部３０上に位置させ、その後加える力を除去すると、弾性部２２０の弾性の復原力によって結合プレート２３０が位置移動しながらブレード固定部３０と結合するように構成される。
【００５６】
一方、本考案には図６及び図７に示すように、結合プレート２３０が弾性部２２０の弾性力によってブレード固定部３０から分離されるか、又は、固定式ヘアークリッパー１０の使用時に発生する振動などによって分離されることを防止し、前記弾性部２２０の弾性力が低下することを最小化できる支持手段３００がさらに構成されてもよい。
【００５７】
支持手段３００は、一端部がガイド固定部１４０の上部の両側面に結合され、他端側の終端部が弾性部２２０の両側面に密着するよう構成される支持パネル３１０と、支持パネル３１０の終端部に分離可能に結合され、弾性部２２０の外面を加圧する加圧パネル３２０を含んで構成される。
【００５８】
支持パネル３１０は、一端側の端部がリベット、スクリューなどのような結合手段によってガイド固定部１４０の両側端部に結合し、他端側の終端部に弾性部２２０の両側面が接するように構成され、加圧パネル３２０が分離可能に結合される締結ブラケット３３０がさらに構成される。
【００５９】
ここで、締結ブラケット３３０には、加圧パネル３２０に構成された結合シャフト３２４が無理に嵌込まれる方式で結合される嵌込孔３３２が構成される。
【００６０】
このような支持パネル３１０は、その中央部が一定の角度だけ傾斜するように形成され、所定の弾性力を提供しながら弾性部２２０の両側部と接して構成される。ここで、弾性部２２０の面積が支持パネル３１０の間の空間よりも大きく形成されても、支持パネル３１０の弾性力によって容易にガイド胴体部１３０と結合されるように構成される。
【００６１】
加圧パネル３２０は、支持パネル３１０に構成される締結ブラケット３３０と分離可能に結合され、弾性部２２０の外面を加圧して弾性部２２０から提供する弾性力が発生し過ぎることを防止することはもちろん、一定の弾性力を結合プレート２３０に提供できるようにすることで、結合プレート２３０が任意的にブレード固定部３０から分離されることを防止する構成要素である。
【００６２】
このような加圧パネル３２０は、弾性部２２０の外面に接触し、締結ブラケット３３０との結合の有無に応じて弾性部２２０を加圧する加圧部３２２と、加圧パネル３２０を締結ブラケット３３０に結合する結合シャフト３２４から構成される。
【００６３】
ここで、加圧パネル３２０には、前記結合シャフト３２４が構成されるフランジが両側部にそれぞれ構成され、前記フランジは、支持パネル３１０に構成される締結ブラケット３３０と嵌込み方式により結合されるよう長さ調節できるように構成される。
【００６４】
ここで、加圧パネル３２０及びフランジにそれぞれレール及びレール溝を形成し、長さ調節可能に設けることができるが、これに限定されることはない。
【００６５】
以上で記載した「含む」、「構成する」又は「有する」などの用語は、特に反対となる記載がない限り、当該の構成要素が内在されることを意味するため、他の構成要素を除外するのではなく、他の構成要素をさらに含むものと解釈され、技術的であるか科学的な用語を含む全ての用語は、異なるように定義されない限り、本考案が属する技術分野で通常の知識を有する者によって一般的に理解されるのと同じ意味を有する。
【００６６】
また、以上の説明は、本考案の技術思想を例示的に説明したものに過ぎず、本考案が属する技術分野で通常の知識を有する者であれば、本考案の本質的な特性から逸脱しない範囲で様々な修正及び変形が可能であろう。したがって、本考案に開示された実施形態は、本考案の技術思想を限定するものではなく、説明するためのものであり、このような実施形態によって本考案の技術思想の範囲が限定されることはない。本考案の保護範囲は、下記の請求範囲によって解釈されるべきであり、それと同等な範囲内にある全ての技術思想は、本考案の権利範囲に含まれると解釈されなければならないのであろう。
【符号の説明】
【００６７】
１００：本体部
１１０：カッティングガイド
１２０：据置部
１３０：ガイド胴体部
１４０：ガイド固定部
１５０：装着突起
１６０：脱着溝
１７０：支え段差
２００：固定部材
２１０：装着部
２２０：弾性部
２３０：結合プレート
３００：支持手段
３１０：支持パネル
３２０：加圧パネル
３３０：締結ブラケット
【図１】
0003222589.tif 000003
【図２】
0003222589.tif 000004
【図３】
0003222589.tif 000005
【図４】
0003222589.tif 000006
【図５】
0003222589.tif 000007
【図６】
0003222589.tif 000008
【図７】
0003222589.tif 000009
【図８】
0003222589.tif 000010
【図９】
0003222589.tif 000011